(57)【要約】      （修正有）【課題】飲み残しを防ぐことができ、しかも現状の大人向けタイプの蓋における見た目を大きく変更することのない。【解決手段】有底筒状の飲料容器の開口縁部４１に嵌合する嵌合部１１と、前記飲料容器の開口に対向する位置に設けられた天井部１２と、前記嵌合部１１と前記天井部１２とを繋ぐ周壁部１３と、前記周壁部１３の前記天井部１２側における周縁の所定の位置において、飲口となる穴１４ａの縁部１４ｂが接するように前記天井部１２に形成された飲口部１４とを具備する。【選択図】図４
2018065597.tif 000002
【特許請求の範囲】
【請求項１】
有底筒状の飲料容器の開口縁部に嵌合する嵌合部と、
前記飲料容器の開口に対向する位置に設けられた天井部と、
前記嵌合部と前記天井部とを繋ぐ周壁部と、
前記周壁部の前記天井部側における周縁の所定の位置において、飲口となる穴の縁部が接するように前記天井部に形成された飲口部と
を具備する飲料容器の蓋。
【請求項２】
前記周壁部は、前記嵌合部から前記天井部側へ向かって傾斜したスロープを構成し、
前記スロープ面の上下方向に延びる一本の直線が、前記飲口部の前記穴の縁を通過することを特徴とする請求項１に記載の飲料容器の蓋。
【請求項３】
前記飲口部の前記穴には、この穴を開閉する開閉蓋が設けられていることを特徴とする請求項１または２に記載の飲料容器の蓋。
【請求項４】
前記開閉蓋が開いた状態で嵌合する嵌合機構を有することを特徴とする請求項３に記載の飲料容器の蓋。
【請求項５】
前記嵌合部は、有底筒状の前記飲料容器の前記開口縁部を内側と外側から挟み込む構成であることを特徴とする請求項１乃至４のいずれか１項に記載の飲料容器の蓋。
【請求項６】
前記嵌合部は、有底筒状の前記飲料容器の前記開口縁部に取り外し可能の嵌合することを特徴とする請求項１乃至５のいずれか１項に記載の飲料容器の蓋。
【請求項７】
前記天井部は、飲口部から最遠方側へ向かって下がるように傾斜していることを特徴とする請求項１乃至６のいずれか１項に記載の飲料容器の蓋。
【発明の詳細な説明】
【技術分野】
【０００１】
この発明は、例えばディスポタイプのコップなど飲料容器に、取り付けられる、飲料容器の蓋に関するものである。
【背景技術】
【０００２】
従来の飲料容器の蓋１００は、図１に示されるように、飲料容器であるコップ２００の上部開口部に取り付けられるものである。上位の開口部と蓋１００の平面形状は、円形である。蓋１００は円錐台の形状であり、その側壁１１０は上部から下部へ広がるようなスロープを形成している。
【０００３】
図２に示されるように、上記側壁１１０の上端部１２０からは、適宜な寸法で凹んだ凹部の平面部１３０が形成されている。上端部１２０から凹部の平面部１３０における中央部へ向かって、ある程度の距離をおいて飲口部１４０が形成されている。
【０００４】
上記のような蓋１００の構成によると、図３のように、コップ２００を傾けて飲口部１４０から飲料を飲むと、側壁１１０と飲口部１４０の開口の間に、ある程度の距離があるために、この部分に飲料の飲み残り２５０が生じる問題があった。
【０００５】
特許文献１には、上記の図１〜図３により示した構造と同様な構造の蓋が示されている。特許文献１ものは、開口に係合縁７が設けられるコップを閉ざすことができる蓋であり、上板１０と、周面１５と、係合部２０とを有している。その周面は、上板１０の周縁から下に延び、リニアな延び段１５１と、リニアな内止め段１５２と、を含み、延び段１５１は上板１０の周縁と内止め段１５２の間に設けられ、係合部２０は、環状な上止め段２１と、環状な外止め段２２と、環状なガイド段２３と、を含む。
【０００６】
外止め段２２は、上端と、下端と、を有し、ガイド段２３は外止め段の下端から斜めに延び、上止め段２１は、一端が外止め段２２の上端と連接し、他端が周面の延び段１５１と内止め段との間１５２と連接し、内止め段１５２と外止め段２２と上止め段２１との間に係合溝２４が形成されている。外止め段２２とガイド段２３との間には、係合溝２４へ凸出する係り縁が少なくとも一つ設けられ、内止め段１５２と外止め段２２との距離は係合縁７の厚さと同じ、内止め段１５２と係り縁２５との距離は係合縁の厚さよりもやや小さく構成されている。
【０００７】
上記に対し、特許文献２には、蓋の周壁に、周囲の一部が接するような液通孔を備えたものが開示されている。即ち、蓋を取外すことなく容器内の飲料水を飲むことができ、さらに、把手を右左どちらの手で持っても飲料水を良好に飲むことのできる把手付き飲料用容器である。この飲料用容器１は、把手２を備えたコップ状の容器本体３と、容器本体３の上部に螺着される蓋部材４で構成されている。
【０００８】
蓋部材４には、蓋板部９が傾斜して設けられ、蓋板部９の低い側に液通孔１３が形成され、高い側に空気孔１４を形成され、蓋板部９に周壁１０が立設されている。容器本体３の上部開口近傍に２条の雄ねじ部７ａ，７ｂが形成されている。雄ねじ部７ａ，７ｂの始点位置Ａ，Ｂ及び終点位置Ｃ，Ｄが、容器本体３の外周壁の対向する位置にそれぞれ設けられる。蓋部材４の雌ねじ部１２が、雄ねじ部７ａ，７ｂのいずれか一方に螺合され、液通孔１３が把手２を挟んで把手２から略９０度ずれた、いずれか一方の位置に配設されている。
【０００９】
また、特許文献３及び特許文献４には、側壁と接する周縁を有する飲口を備えた蓋が示されている。即ち、特許文献３のものは、ドリンクがこぼれることを防止することが可能なコップ用蓋である。このコップ用蓋１０は、蓋体１１とキャップ３０とを備え、コップ２０を覆う。蓋体１１は、外周縁から下に伸びて形成されかつコップ２０に嵌合する嵌合部１２、吸い口、および通気孔１５２を有する。吸い口は、蓋体１１の頂面から上に突出して形成された吸い部１５を有する。吸い部１５は、頂面に開口部を有し、開口部の下方に内径が開口部より小さい通孔１５２を有し、開口部と通孔１５２との間に斜面状の誘導部１５３を有する。キャップ３０は、蓋体１１に着脱可能な方式で吸い口を塞ぐ構造であり、ドリンクがこぼれることを防止する。
【００１０】
更に、特許文献４のものは、鶏卵による、卵かけご飯を作る時、鶏卵及び調味料の撹拌及び混合を短時間で行うことができる、手持ち型撹拌器である。この鶏卵撹拌器は、上蓋部１０の上部に撹拌した卵を排出する、注ぎ口２０を有し、注ぎ口２０には撹拌時使用する注ぎ口キャップ２１が付属している。
【先行技術文献】
【特許文献】
【００１１】
【特許文献１】特開２０１１−１５２９５７号公報
【特許文献２】特開平７−２５１８５４号公報
【特許文献３】特開２０１２−１７６８００号公報
【特許文献４】実用新案登録第３１５４０５１号明細書
【発明の概要】
【発明が解決しようとする課題】
【００１２】
しかしながら、特許文献１に記載の蓋は、飲み残しが生じる問題がある。特許文献２に記載の蓋は、ディスポタイプのものではなく、構成上ディスポタイプに適用し難いものである。特許文献３に記載のものは、飲み残しを防ぐことはできるものの、上部へ突出した筒の先端が飲口となっており、現状の蓋の形状が大きく変化する。従って、飲口を吸い口として用いる幼児用などには向いても、コーヒーなどのように吸うことが少ない飲料の容器の蓋としては採用し難いという問題がある。特許文献４に記載のものは飲料容器の蓋ではないが、特許文献３、に記載のものと同様な構成を有するもので、通常のコップタイプの蓋として適用がし難いものである。
【００１３】
本発明は、飲料容器の蓋における現状に鑑みてなされたもので、その目的は、飲み残しを防ぐことができ、しかも現状のタイプの蓋における見た目を大きく変更することのない飲料容器の蓋を提供することである。
【課題を解決するための手段】
【００１４】
本発明に係る飲料容器の蓋は、有底筒状の飲料容器の開口縁部に嵌合する嵌合部と、前記飲料容器の開口に対向する位置に設けられた天井部と、前記嵌合部と前記天井部とを繋ぐ周壁部と、前記周壁部の前記天井部側における周縁の所定の位置において、飲口となる穴の縁部が接するように形成された飲口部とを具備する。
【００１５】
本発明に係る飲料容器の蓋では、前記周壁部は、前記嵌合部から前記天井部側へ向かって傾斜したスロープを構成し、前記スロープ面の上下方向に延びる一本の直線が、前記飲口部の前記穴の縁を通過することを特徴とする。
【００１６】
本発明に係る飲料容器の蓋では、前記飲口部の前記穴には、この穴を開閉する開閉蓋が設けられていることを特徴とする。
【００１７】
本発明に係る飲料容器の蓋では、前記開閉蓋が開いた状態で嵌合する嵌合機構を有することを特徴とする。
【００１８】
本発明に係る飲料容器の蓋では、前記嵌合部は、有底筒状の前記飲料容器の前記開口縁部を内側と外側から挟み込む構成であることを特徴とする。
【００１９】
本発明に係る飲料容器の蓋では、前記嵌合部は、有底筒状の前記飲料容器の前記開口縁部に取り外し可能の嵌合することを特徴とする。
【００２０】
本発明に係る飲料容器の蓋では、前記天井部は、飲口部から最遠方側へ向かって下がるように傾斜していることを特徴とする。
【発明の効果】
【００２１】
本発明によれば、飲み残しを防ぐことはでき、しかも現状のタイプの蓋における見た目を大きく変更することがない。
【図面の簡単な説明】
【００２２】
【図１】従来例に係る飲料容器を示す図であり、（ａ）は蓋の縦断面図、（ｂ）は縦断面図。
【図２】従来例に係る飲料容器を示す図であり、（ａ）は平面図、（ｂ）は縦断面図。
【図３】従来例に係る飲料容器を、飲料を飲むために傾けた状態示す図であり、（ａ）は平面図、（ｂ）は縦断面図。
【図４】本発明に係る飲料容器の蓋の実施形態を示す図であり、（ａ）は平面図、（ｂ）は縦断面図。
【図５】本発明に係る飲料容器の蓋の実施形態の使用状態を示す図であり、（ａ）は平面図、（ｂ）は縦断面図。
【発明を実施するための形態】
【００２３】
以下添付図面を参照して本発明に係る飲料容器の蓋の実施形態を説明する。各図において、同一の構成要素には同一の符号を付して重複する説明を省略する。本実施形態に係る飲料容器の蓋１０は、図４（ａ）、図４（ｂ）に示すように、飲料容器である有底筒状体のコップ４０に適用される。コップ４０は、円錐台形状の例えば紙コップとすることができる。コップ４０は開口しており、開口縁部４１において、端部が折り返されて巻回され肉厚に形成されている。
【００２４】
蓋１０は、上記コップ４０の開口縁部４１に嵌合する嵌合部１１を有する。この嵌合部１１は、有底筒状のコップ４０の開口縁部４１を内側と外側から挟み込む構成である。また、嵌合部１１は、有底筒状のコップ４０の開口縁部４１に取り外し可能に嵌合できる。
【００２５】
蓋１０は、円錐台状であり、上記コップ４０の開口に対向する位置に設けられた天井部１２を有する。蓋１０及び天井部１２は平面形状が円形であり、天井部１２の平面形状である円の中心は、蓋１０の平面形状である円の中心から偏心している。蓋１０は、嵌合部１１と上記天井部１２とを繋ぐ周壁部１３を備えている。天井部１２には、飲口部１４が形成されている。天井部１２は、飲口部１４から最遠方側へ向かって下がるように傾斜している。蓋１０の最上面１７と天井部１２の面がなす角度θは、図５（ｂ）に示すように、例えば３度〜１０度とすることができる。
【００２６】
飲口部１４は、周壁部１３の上記天井部１２側における周縁の所定の位置において、飲口となる穴の縁部が接するように上記天井部１２に形成されている。つまり、平面形状が円形である天井部１２を、上記円の中心を通り飲口部１４の中央へ延びる線分により、蓋１０及びコップ４０を断面図とすると、図４（ｂ）のようである。
【００２７】
具体的には、周壁部１３は、上記嵌合部１１から上記天井部１２側へ向かって傾斜したスロープを構成し、このスロープ面の上下方向に延びる一本の直線Ｌ１が、上記飲口部１４の穴１４ａの縁１４ｂを通過する。別言すると、図４（ｂ）において、飲口部１４に隣接する周壁部１３を含む線分Ｌ１は、飲口部１４の穴１４ａにおける最も外側の縁１４ｂに接する。スロープの途中に幾つかの円状に突条１８を形成することができる。突条１８は、蓋１０をコップ４０に嵌合しまたは取り外す際の滑り止めの機能を有することができる。
【００２８】
上記飲口部１４の穴１４ａには、この穴１４ａを開閉する開閉蓋１５が設けられている。本実施形態では、上記飲口部１４の穴１４ａの平面形状が四角形である。このため、開閉蓋１５は、中空の四角錐台形状であり、飲口部１４の穴１４ａを開閉蓋１５により閉じた状態において開閉蓋１５の開口部が穴１４ａの位置にある。つまり、飲口部１４の穴１４ａを開閉蓋１５により閉じた状態では、穴１４ａが中空の四角錐台形状の開閉蓋１５により覆われた状態となる。
【００２９】
飲口部１４の穴１４ａにおける最も外側の縁１４ｂに対向する辺は、ヒンジ１４ｃであり、このヒンジ１４ｃを中心に開閉蓋１５が回動可能に構成されている。なお、開閉蓋１５の開口部においては、開閉蓋１５の端面から水平方向にフランジ１５ａが形成されており、このフランジ１５ａを含めた開閉蓋１５の面積が、飲口部１４の穴１４ａに対応している。
【００３０】
上記ヒンジ１４ｃを挟んで飲口部１４の穴１４ａと反対側の天井部には、有底孔１６が形成されている。有底孔１６は、開閉蓋１５の外形と同じ中空の四角錐台形状であり、有底孔１６に開閉蓋１５が嵌まり込む嵌合機構である。開閉蓋１５が飲口部１４の穴１４ａを閉じた状態から、開閉蓋１５を上記ヒンジ１４ｃを軸として回転すると、開閉蓋１５は有底孔１６の開口部側から有底孔１６内へ侵入し嵌合機構により嵌合可能となる。
【００３１】
上記のように、開閉蓋１５が有底孔１６内で嵌合された状態が、飲料を飲む状態である。従って、開閉蓋１５が飲口部１４の穴１４ａを閉じた状態では、開閉蓋１５は、蓋１０の最上面１７よりも上側へ突出した状態である。上記に対し、飲料を飲む状態では、開閉蓋１５を有底孔１６内に収納することができ、これにより、開閉蓋１５を、蓋１０の最上面１７よりも下側において保持された状態とすることができる。
【００３２】
以上のように構成された蓋１０を、飲料が入ったコップ４０の開口部に嵌合することができる。当初においては、開閉蓋１５が飲口部１４の穴１４ａを閉じた状態となっており、通常の振動などによってはコップ内の飲料が漏れるなどすることは少ない。
【００３３】
飲料を飲む場合には、開閉蓋１５が飲口部１４の穴１４ａを閉じた状態から、開閉蓋１５を上記ヒンジ１４ｃを軸として回転し、開閉蓋１５を有底孔１６の開口部側から有底孔１６内へ押し込むと、嵌合機構により有底孔１６内に開閉蓋１５が嵌合される。
【００３４】
上記のように有底孔１６内に開閉蓋１５が嵌合された状態において、飲口部１４を飲む人の口へ当て、飲料を飲むことができる。そして、飲料の残量が少なくなった状態では、図５（ｂ）に示されるようにコップ４０を傾けて飲料が飲口部１４の穴１４ａへ向かうようにする。
【００３５】
このとき、周壁部１３のスロープ面の上下方向に延びる一本の直線Ｌ１が、上記飲口部１４の穴１４ａの縁を通過するように構成されているため、上記飲口部１４の穴１４ａから周壁部１３の内壁面付近に飲料が残留することなく、飲料を無駄なく飲むことが可能である。
【００３６】
また、天井部１２が飲口部１４から最遠方側へ向かって下がるように傾斜しており、しかも、開閉蓋１５が蓋１０の最上面よりも下側において保持された状態となっている。このため、図４のようにコップ４０を傾けて飲料を飲むときに、上記の本実施形態の構成を採用していない場合に比べて、鼻が開閉蓋１５や天井部に当接し難く、飲料を飲み易い特徴を有している。
【００３７】
なお、以上の実施形態においてコップ４０や蓋１０の形状や寸法は、一例に過ぎず、これに限定されない。更に、有底孔１６に開閉蓋１５が嵌まり込む嵌合機構は、開閉蓋１５の外面の一部が有底孔１６に嵌合すればよい。
【符号の説明】
【００３８】
１０  蓋
１１  嵌合部
１２  天井部
１３  周壁部
１４  飲口部
１４ａ  穴
１４ｂ  縁
１４ｃ  ヒンジ
１５  開閉蓋
１５ａ  フランジ
１６  有底孔
１７  最上面
１８  突条
４０  コップ
４１  開口縁部
【図１】
2018065597.tif 000003
【図２】
2018065597.tif 000004
【図３】
2018065597.tif 000005
【図４】
2018065597.tif 000006
【図５】
2018065597.tif 000007